(57)【要約】  【課題】  中空糸の濾過性能に影響を及ばすことなく、中空糸の表面に付着、堆積する懸濁成分を剥離除去し、濾過性能を続させ、良好な濾過性能を長期に渡って保持する。  【解決手段】懸濁成分を含む被処理液を浸漬型吸引濾過用又は外圧濾過用の中空糸に透過させて固液分離を行う濾過装置であって、多数本の中空糸に所要の空隙をあけて配置し、これらの中空糸の両端末を樹脂で固着した固定部材を備えたカートリッジを設け、前記カートリッジの一端側の前記固定部材に固定される前記中空糸の端末は封止すると共に、該固定部材には前記中空糸固着部に挟まれた部分に貫通孔を設け、気体導入管に連結される気体導入キャップを前記固定部材の中空糸突出側と反対面に密閉状態で取り付け、前記気体導入キャップから前記各貫通孔を通して中空糸間の空隙に加圧気体を噴射させる一方、前記カートリッジの他端側の前記固定部材に、集水管と接続される集水ヘッダーを液密に取り付け、前記中空糸の端末は開口させて前記集水ヘッダーに臨ませている。  【選択図】  図１
2006116495.tif 000002
【特許請求の範囲】
【請求項１】
懸濁成分を含む被処理液を浸漬型吸引濾過用又は外圧濾過用の中空糸に透過させて固液分離を行う濾過装置であって、
多数本の中空糸に所要の空隙をあけて配置し、これらの中空糸の両端末を樹脂で固着した固定部材を備えたカートリッジを設け、
前記カートリッジの一端側の前記固定部材に固定される前記中空糸の端末は封止すると共に、該固定部材には前記中空糸固着部に挟まれた部分に貫通孔を設け、気体導入管に連結される気体導入キャップを前記固定部材の中空糸突出側と反対面に密閉状態で取り付け、前記気体導入キャップから前記各貫通孔を通して中空糸間の空隙に加圧気体を噴射させる一方、
前記カートリッジの他端側の前記固定部材に、集水管と接続される集水ヘッダーを液密に取り付け、前記中空糸の端末は開口させて前記集水ヘッダーに臨ませていることを特徴とする濾過装置。
【請求項２】
前記カートリッジは、前記中空糸の両端末を固定する前記上下の固定部材の間を剛性を有する棒状あるいはパイプ状の連結支持材で連結している請求項１に記載の濾過装置。
【請求項３】
前記連結支持材をパイプから形成し、該パイプは軸線方向の全長に亙って間隔をあけて気体噴射孔を有する多孔パイプとし、該多孔パイプの一端を開口状態で前記気体導入キャップ取付側の固定部材に固定し、該気体導入キャップに臨ませた開口より加圧気体を導入させ、前記気体噴射孔より前記中空糸に向けて加圧気体を噴出させる構成としている請求項２に記載の濾過装置。
【請求項４】
前記カートリッジは、前記中空糸の中心距離（ピッチ）が２〜２０ｍｍとして平行配置すると共に、隣接する中空糸との間に０．５〜１０ｍｍの空隙をあけて配置し、該カートリッジの全体形状を断面円形あるいは矩形状としている請求項１乃至請求項３のいずれか１項に記載の濾過装置。
【請求項５】
前記カートリッジは、水平断面矩形状に層状に集束した膜集束体を設け、これを膜集束体を所要の空間をあけて平行配置し、該平行配置する前記膜集束体を５〜２０ｍｍの空隙をあけて配置している請求項１乃至請求項３のいずれか１項に記載の濾過装置。
【請求項６】
前記貫通孔の大きさは２ｍｍ〜６ｍｍ以上としている請求項１乃至請求項５のいずれか１項に記載の濾過装置。
【請求項７】
前記気体導入キャップに導入する気体として加圧空気を用い、その圧力を５０〜５００ｋＰａの範囲に設定している請求項１乃至請求項６のいずれか１項に記載の濾過装置。
【請求項８】
前記カートリッジの中空糸は、超微細多孔質でＰＴＦＥ、ＰＶＤＦを含むフッ素樹脂、アルミナ、窒化珪素等のセラミックからなり、抗張力が３ｋｇｆ以上としている請求項１乃至請求項７のいずれか１項に記載の濾過装置。
【発明の詳細な説明】
【技術分野】
【０００１】
本発明は、懸濁成分を含む被処理液を中空糸を透過させて固液分離を行う濾過装置に関し、特に、中空糸面に付着する懸濁成分を除去する清浄手段を備えた濾過装置に関するものである。
【背景技術】
【０００２】
多数本の中空糸を円形状に集束して配置し、その片端部あるいは両端部を開口状態で固定部材にて固定して集水部とした膜モジュールが浸漬型吸引濾過装置あるいは外圧式濾過装置に装着されて使用されている。従来、膜モジュールは、河川水、湖沼水の浄化といった所謂浄水処理の分野において広く使用されてきた。また、近時、この浄水分野に限らず、下水の二次処理、三次処理や、排水、産業廃水、工業用水等の濾過といった高汚濁性水処理用途への検討も多くなされている。
【０００３】
浄水及び高汚濁性水処理のいずれの場合も、膜モジュールを用いた濾過装置により濾過処理を継続すると、膜表面又は膜間に、被処理液中に含まれる懸濁成分が堆積し、これが膜閉塞の原因となる。すなわち、堆積物を介して中空糸同士が固着一体化して膜モジュール内の中空糸の有効膜面積が減少し、透過流量の低下を招く。
【０００４】
このため、定期的に膜面の堆積物を取り除く洗浄操作が行われる。洗浄は、浸漬槽内に被処理液を満たした状態で膜モジュールの下部から空気を導入し、供給される気泡により中空糸に振動を与えるエアーバブリングで膜面の堆積物を剥離する方法がとられる。
【０００５】
例えば、特許第３０１４２４８号公報（特許文献１）では、図１０に示すように、シート状の平型中空糸モジュール１０１の下方に設けた散気板１０２の散気孔１０２ａから供給される気泡により中空糸１０３に対してエアーバブリングを連続的若しくは断続的に行いながら液体を濾過する方法において、シート面が垂直方向に、中空糸が水平方向となるように膜モジュール１０１を配設し、中空糸１０３をエアーバブリングにより振動させる濾過方法が開示されている。
【０００６】
また、特開平８−２１５５４８号公報（特許文献２）では、図１１に示すように、中空糸１０５の片端部１０６あるいは両端部１０６，１０７を開口状態に保ちつつ固定部材により固定して集水機能を持たせるとともに、片端部（下端部）１０６に散気孔１０６ａを設けて散気機能を持たせ、中空糸１０５をエアーバブリング洗浄法により膜面洗浄する膜モジュールが開示されている。
【０００７】
さらに、特公平７−６１４２０号公報（特許文献３）では、図１２に示すように、多数の中空糸濾過膜１１０を外筒１１１内に配列し、中空糸束中に多孔質パイプ１１２を混入させることにより、多孔質パイプ１１２の下方から空気を導入し、気泡を多孔質パイプ１１２に沿って上昇させながら中空糸を振動させ、エアーバブリングを行う濾過器が開示されている。
【０００８】
さらに、特表２００２−５４２０１３号公報（特許文献４）では、図１３（Ａ）（Ｂ）に示すように、カートリッジ１０１の下端に空気溜め用のスカート部１２０を設け、該スカート部１２０より中空糸間に清浄用空気を導入する構造としている。
【０００９】
しかしながら、前記特許第３０１４２４８号公報（図１０）に記載の濾過方法では、散気板１０２の散気孔１０２ａからモジュール全域にわたって散気を行うものであるため、散気を十分に行うためには、隣接するシート状の平型中空糸モジュール１０１をある程度離間させて配置する必要があり、膜を高密度で設置することは難しい。したがって、膜設置部の容積が大きくなる。また、膜モジュール１０１の下方から全体的に散気を行うだけでは、中空糸１０３の表面のみが散気され、膜間、特に膜の閉塞が進みがちな集水部近辺への散気が不十分となる問題がある。
【００１０】
同様に、前記特開平８−２１５５４８号公報（図１１）に記載の膜モジュールでは、膜モジュールの片端部（下部集水管）１０６に散気構造を持たせ、散気孔１０６ａより散気させているため、中空糸１０５の外面側にのみ散気され、内面側には散気が及ばず、洗浄効率の面から十分とはいえない。また、多数の中空糸を円形状に集束配列した膜モジュールには適用できないという問題がある。
【００１１】
さらに、前記特公平７−６１４２０号公報（図１２）に記載の濾過器では、多数の中空糸濾過膜１１０を円形状に配列した中空糸束中に複数本の多孔質パイプ１１２を混入させているだけであるので、膜間への散気が不十分となる問題がある。
さらに、前記特表２００２−５４２０１３号公報（図１３）に示す構造では、一旦スカート部内に空気が滞留した時点で空気圧が開放されるため、中空糸の振動効果が少ない。
【００１２】
さらに、従来の用いている中空糸は、ＰＳＦ，ＰＶＤＦ、ＰＥ等の樹脂で成形しており、中空糸の膜厚は０．５〜１ｍｍ程度で、強度、特に抗張力の点で、散気管からの噴射する気体圧力が大きいと中空糸に破断が起こる問題がある。よって、約１ｍ近くの長尺な中空糸の端末側から気泡を発生させて中空糸に微振動を負荷させるに止めており、その結果、気泡によるバブリングだけでは、特に、中空糸の表面に強固に付着する懸濁成分を剥離除去する機能が弱い問題がある。
【００１３】
【特許文献１】特許第３０１４２４８号公報
【特許文献２】特開平８−２１５５４８号公報
【特許文献３】特公平７−６１４２０号公報
【特許文献４】特表２００２−５４２０１３号公報
【発明の開示】
【発明が解決しようとする課題】
【００１４】
本発明は、上記した問題に鑑みてなされたものであり、膜濾過の継続により膜表面又は膜間に堆積した懸濁成分を、中空糸に確実に振動を与えて、効率よく剥離除去して清浄化できる濾過装置を提供することを課題にしている。
【課題を解決するための手段】
【００１５】
前記課題を解決するため、本発明は、懸濁成分を含む被処理液を浸漬型吸引濾過用又は外圧濾過用の中空糸に透過させて固液分離を行う濾過装置であって、
多数本の中空糸に所要の空隙をあけて配置し、これらの中空糸の両端末を樹脂で固着した固定部材を備えたカートリッジを設け、
前記カートリッジの一端側の前記固定部材に固定される前記中空糸の端末は封止すると共に、該固定部材には前記中空糸固着部に挟まれた部分に貫通孔を設け、気体導入管に連結される気体導入キャップを前記固定部材の中空糸突出側と反対面に密閉状態で取り付け、前記気体導入キャップから前記各貫通孔を通して中空糸間の空隙に加圧気体を噴射させる一方、
前記カートリッジの他端側の前記固定部材に、集水管と接続される集水ヘッダーを液密に取り付け、前記中空糸の端末は開口させて前記集水ヘッダーに臨ませていることを特徴とする濾過装置を提供している。
【００１６】
前記したように、本発明では、多数本の中空糸を固着する樹脂製の固定部材（所謂ポッティング部）自体に清浄用気体（空気等）を噴射させる貫通孔を設けて、言わばノズル部として利用し、構造を簡単としている。かつ、気体を加圧噴射させる貫通孔を隣接する中空糸の間に穿設しているため、確実に中空糸の表面に振動を負荷することができ、中空糸の膜面に付着する懸濁成分を除去することができる。
さらに、前記固定部材に対して気体導入キャップは気密状態で取り付けているため、導入する加圧気体の圧力を減衰させることなく前記貫通孔より噴射させることができる。
【００１７】
前記カートリッジは、前記中空糸の両端末を固定する前記上下の固定部材の間を剛性を有する棒状あるいはパイプ状の連結支持材で連結している。
好ましくは、前記連結支持材をパイプから形成し、該パイプは軸線方向の全長に亙って間隔をあけて気体噴射孔を有する多孔パイプとし、該多孔パイプの一端を開口状態で前記気体導入キャップ取付側の固定部材に固定し、該気体導入キャップに臨ませた開口より加圧気体を導入させ、前記気体噴射孔より前記中空糸に向けて加圧気体を噴出させる構成としている。
【００１８】
前記連結支持材としては、ＳＵＳ等の金属材料あるいはポリ塩化ビニル、硬質プラスチック材料、および前記金属材料にプラスチック製のチューブを被覆した物等が使用できる。
このように、両端の固定部材を剛性を有する連結支持材で連結し、固定部材間の寸法を規定しておくと、この間に取り付けられる多数の中空糸を加圧気体の噴射による振動が負荷されても、撓むことなく直線状態に保持することができる。そのためには各中空糸に抗張力が要求されるが、後述するように、ＰＴＦＥ等の高い抗張力を有する素材からなる中空糸を形成することで、加圧空気を直接に中空糸間の隙間に噴射可能としている。
前記連結支持材は、集束する中空糸の外周位置に間隔をあけて配置してもよいし、中空糸を集束している内部位置に混在させるように配置してもよい。
かつ、連結支持材を多孔パイプとしておくと、中空糸を軸線方向全域に亙って振動を負荷でき、懸濁成分を確実に剥離除去できる。
【００１９】
前記カートリッジは、前記中空糸の中心距離（ピッチ）が２〜２０ｍｍとして平行配置すると共に隣接する中空糸との間に０．５〜１０ｍｍの空隙をあけて配置し、該カートリッジの全体形状を断面円形あるいは矩形状としている。
このように配列する中空糸の両端は前記上下固定部材にそれぞれＸ−Ｙ方向に間隔をあけて固定し、これら中空糸間に前記気体噴出用に開口を設けている。
【００２０】
あるいは、水平断面矩形状に層状に集束した中空糸集束体を設け、これを中空糸集束体を所要の空間をあけて平行配置し、該平行配置する前記中空糸集束体を２〜２０ｍｍの空隙をあけて配置し、これら隣接する中空糸集束体間の固定部材に前記気体噴射用の貫通孔をあけている。
なお、カートリッジの形状は前記形状に限定されず、多種の形態とすることができる。  
【００２１】
前記固定部材に穿設する清浄用の気体噴射孔となる貫通孔の大きさは固液分離する処理液の懸濁成分の大きさに応じて設定される。
即ち、貫通孔からは加圧気体を噴射するため、該気体噴射時には懸濁成分が貫通孔に流入する恐れはないが、気体の噴射を停止している場合にも、貫通孔から懸濁成分が流入できない寸法設定とすることが好ましい。
例えば、下水処理水が流入させる活性汚泥槽内に浸漬するカートリッジでは貫通孔の直径は、２ｍｍ〜６ｍｍの範囲、より好ましくは３〜４ｍｍ程度がよい。
【００２２】
前記気体導入キャップに導入する気体として空気を用い、該空気圧力は５０〜５００ｋＰａの範囲、好ましくは１００〜３００ｋＰａに設定している。圧力空気はブロアを用いて供給している。なお、コンプレッサーでもよいが空気圧力が強くなり過ぎると共にブロアの方がコスト的に有利である。
【００２３】
また、膜の洗浄を目的とした気体導入量は、ブロアの運転に消費する電力、即ち、ランニングコストの面から少ない程良いが、本製品によれば、例えば、カートリッジの設定濾過水量１００Ｌ／ｈｒに対して、１〜１０Ｎｍ３／ｈｒ、このましくは２〜４Ｎｍ３の範囲が好ましいが、濾過水量の分離する懸濁成分量の応じて適宜に設定される。
【００２４】
前記カートリッジの中空糸は、超微細多孔質でＰＴＦＥ（ポリテトラフルオロエチレン）やポリフッ化ビニリデン等のフッ素系樹脂、多孔質アルミナ、多孔質窒化ケイ素等のセラミックから形成している。特に、ＰＴＦＥから構成することが好ましく、ＰＴＦＥとすることにより、酸、アルカリ、溶剤に対して安定で、かつ、撥水性に優れているため懸濁成分を付着しにくくでき、さらに、柔軟性に優れているため加工が容易である。
特に、抗張力を３ｋｇｆ以上とし、強い抗張力を付与しておくことにより、清浄用パイプから加圧気体を噴出しても、中空糸に撓みや損傷を発生させない。
なお、中空糸の素材は前記に限定されず、ポリスルフォン系樹脂、ポリアクリロニトリル、セルロース誘導体、ポリエチレンやポリプロピレン等のポリオレフイン、ポリビニルアルコール系樹脂、ポリスルフォン系樹脂、、ポリアミド、ポリエステル、ポリメタクリレート、ポリアクリレート等の各種の材料からなるものが使用できる。また、これらの樹脂の共重合体や一部に置換基を導入したものであってもよく、更には二種以上の樹脂を混合した樹脂であってもよい。
【００２５】
中空糸は、その内径０．５〜１２ｍｍ  外径１．５〜１４ｍｍ、超微細孔径５０ｎｍ〜１０００ｎｍ、膜厚０．５〜１ｍｍ、気孔率５０〜８０％、膜間差圧０．１〜１．０ＭＰａの耐圧性を備えたものとすることが好ましい。
前記した中空糸を用いると多様な懸濁成分を含む被処理液の濾過に適用することができる。
【発明の効果】
【００２６】
上述したように、本発明の濾過装置によれば、多数の中空糸を両端を固定部材（ポッティング部）で固定しているカートリッジの一方側の固定部材（カートリッジを縦配置する時は下部固定部材）に気体導入キャップを密閉状態で取り付けると共に、該固定部材の中空糸の間の位置に貫通孔を設けて、該貫通孔から加圧気体を中空糸の間の空隙に直接噴射させる構成としているため、中空糸に振動を確実に付与することが出来、膜表面又は膜間に堆積した懸濁成分を効率よく剥離除去することができる。
さらに、上下の固定部材を連結支持材で連結し、中空糸を直線状に保持すると共に、中空糸自体が高引張力を有し、かつ、該連結支持材を多孔パイプとし、該多孔パイプからも中空糸に向けて加圧気体を噴射させると、より確実に中空糸に振動を負荷して懸濁成分が中空糸の表面に付着、堆積することを防止できる。
さらにまた、中空糸間の空隙に対応した位置に貫通孔を固定部材に設けれるだけで良いため、中空糸間の空隙のサイズおよび配置位置等を自由に設計することができる。
【発明を実施するための最良の形態】
【００２７】
以下、本発明の実施形態を図面を参照して説明する。
図１乃至図４は、本発明を浸漬型吸引濾過装置に適用した第１実施形態を示す。
第１実施形態は、下水処理水２が入った活性汚泥槽からなる濾過槽３内に、本発明の濾過装置を浸漬し、膜分離活性汚泥法により下水を濾過処理するものである。
【００２８】
前記濾過装置はカートリッジ１を備え、該カートリッジ１は多数本の中空糸１０を所要の空隙をあけて配置し、これらの中空糸１０の両端末を樹脂でモールドし、所定位置に位置決め固定して成形した固定部材１１、１２を備えている。
図２および図３に示すように、前記中空糸１０の中心間距離は２〜２０ｍｍとし、隣接する中空糸１０の間に０．５〜１０ｍｍの間隔をあけており、本実施形態では５ｍｍの間隔をあけている
前記上下の固定部材１１、１２はエポキシ樹脂、不飽和ポリエステル樹脂、ポリウレタン樹脂等の液状樹脂を硬化させて成形している。
カートリッジ１の全体形状は水平断面円形とし、上下の固定部材１１、１２も円盤形状としている。
【００２９】
前記中空糸１０はＰＴＦＥ（ポリテトラフルオロエチレン）からなる超微細多孔質材より形成している。該中空糸としては、内径が０．５〜１２ｍｍ、外径が１．５〜１４ｍｍ、膜厚が０．５〜１ｍｍ、長さが約１０００ｍｍ、超微細孔径が５０ｎｍ〜１０００ｎｍ、気孔率が５０〜８０％、抗張力が３ｋｇｆ以上、膜間差圧０．１〜１．０ＭＰａの耐圧性を備えるものを用途に応じて用いることができる。
本実施形態では、中空糸１０は内径１ｍｍ、外径２ｍｍ、長さ１０００ｍｍで、これら中空糸１０を４００〜５００本集束し、カートリッジ１の直径を１５０ｍｍとしている。
【００３０】
図４に示すように、上部固定部材１１の上部には集水ヘッダー１３を液密に固定し、中空糸１０の上端を開口状態のまま集水ヘッダー１３に臨ませて、中空糸１０の内部の濾過された処理済み液を集水ヘッダー１３に集めている。該集水ヘッダー１３には集水管１４を着脱自在に連結し、処理済み液を吸引ポンプ１５で吸引している。
前記集水ヘッダー１３は、機械的強度及び耐久性を有する材質で成形しており、例えば、ポリカーボネート、ポリスルフォン、ポリオレフイン、ポリ塩化ビニル、アクリル樹脂、ＡＢＳ樹脂、変性ＰＰＥ樹脂等を用いている。
【００３１】
一方、図３に示すように、下部固定部材１２で固定する中空糸１０の下端は封止して閉鎖端としている。該下部固定部材１２には、固定する中空糸１０の間の位置に貫通孔２０を設けている。
各貫通孔２０の直径は２〜６ｍｍとし、本実施形態では４ｍｍとしている。  前記固定部材１２はＸ−Ｙ方向に中空糸１０を上向きに突設しているため、これら中空糸１０の間の位置の固定部材１２に設ける貫通孔２０もＸ−Ｙ方向に間隔をあけて穿設している。
【００３２】
前記下部固定部材１２の下面全体に、固定部材１２との間に清浄用の気体導入キャップ２１をパッキン２６を介して気密一体的に固定している。該気体導入キャップ２１は、浅底で平坦底面を有する円筒形状とし、下部固定部材１２との間に細幅の流路を有する形状としている。このように気体導入キャップ２１を密閉状態とし、その内部と前記貫通孔２０とを連通し、貫通孔２０から気体導入キャップ２１に導入される加圧空気が減圧されることなく噴射できる構成としている。
前記気体導入キャップ２１の底面中央には空気導入管２２を連結し、気体導入キャップ２１内に流入する加圧空気を直接的に貫通孔２０より中空糸１０の間の空隙に加圧噴射させる構成としている。
【００３３】
前記空気導入管２２はブロア２７に連結し、空気圧５０〜５００ｋＰａの範囲の加圧空気を気体導入キャップ２１に導入している。
【００３４】
また、前記カートリッジ１では、上下の固定部材の外周部分を、周方向に間隔をあけて、剛性を有する多孔パイプ２５からなる連結支持材で連結している。本実施形態では６本のの多孔パイプ２５で上下の固定部材１１、１２を連結している。
前記多孔パイプ２５はポリ塩化ビニル製で形成し、その軸線方向の全体および全周に亙って間隔をあけて周壁に気体噴射用の孔２５ａを穿設している。
前記多孔パイプ２５は上端を閉鎖端として、中空糸１０と共に固定部材１１にモールド固定している。一方、下端は開口端として中空糸１０と共に固定部材１２にモールドして固定し、下端開口端を前記気体導入キャップ２１に開口状態で臨ませている。
【００３５】
図１では、濾過槽３内に１つのカートリッジ１を浸漬している状態を簡略化して示しているが、前記カートリッジ１０は前後左右に所要の間隔をあけて濾過槽３内に浸漬している。これらカートリッジ１０は集水ヘッダー１３を集水管１４に連結することにより、一体的に組み立ている。
【００３６】
次ぎに、本実施形態の濾過装置１０の作用を説明する。
浸漬槽３内に導入されて満たされた被処理液２は、吸引ポンプ１５の駆動により各カートリッジ１の中空糸１０を透過させて固液分離が行われ、集水管１４より処理済み液として回収される。
【００３７】
膜濾過の継続により中空糸１０の表面又は膜間に堆積した懸濁成分を剥離除去する場合は、ブロワー２７を作動させて空気導入管２２及び気体空気キャップ２１から直接に下部固定部材１２に設けた貫通孔２０より隣接する中空糸１０の間の空隙に直接に加圧空気を噴射する。噴射された気泡は隣接する中空糸１０の表面に接しながら上昇し、中空糸１０に振動を与えて、懸濁成分を中空糸１０の表面から剥離除去する。
前記加圧空気の噴出は常時行うことが好ましいが、断続的に行っても良い。
【００３８】
同時に支持パイプ２５の周壁に穿設された孔２５ａからも空気が噴射されるため、カートリッジ１の外周方向から中空糸１０の軸線方向の全長にわたって振動を与えることができる。
【００３９】
このように、中空糸を固定する下部の固定部材を清浄用空気の噴射管として利用し、隣接する中空糸の間の位置に空気噴出用の貫通孔を設け、該貫通孔には加圧空気が直接的に導入できる構成としているため、空気が減衰されることなく、中空糸間の空隙に噴射されることができる。よって、従来よりも強い振動を中空糸に負荷できる。
さらに、上下固定部材を所定距離に保持する支持パイプにも加圧空気を導入し、その周壁の孔からも加圧空気を噴射させているため、中空糸の軸線方向の全域にわたって振動を与えて、中空糸に付着する懸濁成分を剥離除去でき、濾過性能を高く保持できる。
なお、前記支持パイプに孔をあけていない場合であっても、固定部材の貫通孔から噴射される加圧空気だけで、中空糸に振動を与えて中空糸に付着する懸濁成分を剥離除去することはできる。
【００４０】
図５、図６は第２実施形態のカートリッジ１’を示す。
第２実施形態のカートリッジ１’では、上下の固定部材１１、１２の連結支持材として、中空糸１０と略同一径の多孔パイプ４０からなる連結支持材を用いている。これら多孔パイプは剛性を有するポリ塩化ビニルで作成している。前記多孔パイプ４０は図６中に黒丸で示すように、４本を１組として、カートリッジ１’の中心位置と、その回りを囲むように周方向に間隔をあけて配置している。
【００４１】
さらに、中空糸１０の集束部の外周を、被処理液を流入させる比較的大きな流通項４５ａをあけた円筒パイプ４５内で囲んでいる。該円筒パイプ４５は剛性を有するポリ塩化ビニル製で、その上下両端を上下に固定部材１１、１２に連結している。
【００４２】
上記のように、カートリッジ１’の中空糸群の内部に配置する多孔パイプ４０を中空糸１０と略同径とすると、多孔パイプ４０を取り付けるために中空糸１０の集束本数をさほど減少する必要がなく、中空糸群の中に配置する多孔パイプ４０から噴出する加圧空気を周囲の中空糸１０に作用させることができる。
【００４３】
図７、図８は第３実施形態のカートリッジ１”を示す。
第３実施形態では、カートリッジ１’の中空糸１０の集束形態を変えており、中空糸１０を水平断面が矩形状となるように層状に集束した膜集束体３０を６層設け、全体として水平断面円形に構成している。
【００４４】
前記膜集束体３０を所要間隔をあけて上下の固定部材１１、１２に固定している。固定部材１２に設ける貫通孔２０は隣接する前記膜集束体３０の間の位置に設けている。
第２実施形態では上下の固定部材１１、１２の間には連結支持材を取り付けていない。
他の構成は第１実施形態と同様であるため説明を省略する。
【００４５】
第３実施形態でも、各膜集束体３０の外周面のほぼ全域に貫通孔２０から噴射する加圧空気による振動を負荷することができ、各膜集束体３０を効率よく揺動させて、該膜集束体３０を構成する中空糸１０の膜表面又は膜間に堆積した懸濁成分を剥離除去することができる。
【００４６】
「実施例および比較例」
ＭＬＳＳ１００００ｍｇ／Ｌの下水処理水が入った活性汚泥槽内に、本発明の実施例および比較例の濾過装置を浸漬し、膜分離活性汚泥法による処理を下記の条件で行った。
設定濾過水量  １００Ｌ／ｈｒ
空気体導入量    ３Ｎｍ３／ｈｒ（気体噴射は連続して常時行った）
空気圧        ２００ｋＰａ
濾過運転経過日数に応じて処理済み液の吸引圧力を測定し、中空糸への懸濁成分の付着状態を測定した。吸引圧力が小さい程、清浄効果がある。
【００４７】
実施例１、２および比較例１とも、内径１ｍｍ、外径２ｍｍ、気孔率７５％、孔径０．４５μｍ、有効長さ１０００ｍｍで膜面積３ｍ２の延伸ＰＴＦＥ中空糸４８２本を用い、前記図１に示すように、中空糸間ピッチを５ｍｍとして、全体として水平断面円形に配置し、上端部及び下端部を固定用樹脂（エポキシ樹脂）で固定して上下固定部材１１、１２を作成してカートリッジ１を作製した。  
【００４８】
「実施例１」
実施例１は前記第１実施形態に相当し、上下の固定部材を多孔パイプから連結支持材で連結した。下部の固定部材には、隣接する中空糸の間に、内径４ｍｍの貫通孔を８個あけ、該固定部材の下面に気体導入キャップを気密一体型に取り付けた。
外周位置に周方向に間隔をあけて８本の多孔パイプを配置し、上下の固定部材の間に取り付けた。前記多孔パイプの孔径を４ｍｍとし、軸線方向に１００ｍｍピッチ間隔で、膜集束側、即ち内側にむけて、１個づつ直列に配置した。
【００４９】
「実施例２」
実施例２は下部の固定部材に設ける貫通孔は実施例１と同様とし、上下の固定部材で連結したが、該固定部材は穴を設けていないものを使用した。他の構成は実施例１と同じにした。
【００５０】
「比較例１」
実施例１と同様に下部固定部材に貫通孔を設けたが、下部固定部材に特許文献４と同様なスカート部を設け、各スカート部の真下に空気導入管を連結した。
【００５１】
「比較例２」
実施例１、２、比較例１では中空糸の間に５ｍｍの隙間をもうけていたが、比較例２では中空糸間に隙間は設けずに密集させて集束し、これら密着させて集束した中空糸集束体の膜表面積を６ｍ２とした。固定部材には前記中空糸集束体の外周位置にあたる位置に貫通孔を設け、実施例１と同様の構成として気体導入キャップに導入した加圧空気を貫通孔から噴射させた。
【００５２】
測定結果を下記の表１および図９に示す。
【００５３】
吸引圧力（△Ｐ（ｋＰａ）                    
濾過経過日数    実施例１    実施例２      比較例１      比較例２
５日            ５            ７            ７            ８
１０              ５            ７            ７．５      １１
１５              ５            ７            ８          １８
２０              ５            ７            ９          ２５
２５              ５            ７          １２          ４０
３０              ５            ７          １５
３５              ５            ７          １８
４０              ５            ７          ２１
４５              ５            ７          ２５
５０              ５            ７          ３０
５５              ５            ７          ３２
６０              ５            ７          ３８            
【００５４】
前記表１および図９のグラフからも明らかなように、本発明の実施例１、実施例２では６０日経過後も吸引圧力は同一であるため、中空糸の表面に懸濁成分が付着堆積されていないことが認められる。
これに対して、比較例１では２０日経過後から吸引圧力は次第に増加し、６０日経過後では実施例１の７倍、実施例２の５倍程度の吸引圧力が必要となり、中空糸表面の清浄能力は実施例１、２より劣ることが確認できた。
また、比較例２では、測定開始の５日経過した時点で既に８ｋＰａの吸引圧力を必要とし、４０日経過した時点で吸引圧力を４０ｋＰａとし、カートリッジを交換する必要があることが確認でた。
【産業上の利用可能性】
【００５５】
本発明の濾過装置は、中空糸を確実に振動させて、中空糸の表面又は中空糸間に堆積した懸濁成分を効率よく剥離除去することができることから、浄水分野に限らず、膜分離活性汚泥法が対象とする下水分野に用いて最適である。また、産業排水、畜産排水等の処理分野にも適用可能である。
【図面の簡単な説明】
【００５６】
【図１】本発明の第１実施形態の濾過装置を示し、（Ａ）は正面図、（Ｂ）は側面図である。
【図２】第１実施形態の下部固定部材の拡大平面図である。
【図３】第１実施形態の下部固定部材側の要部断面図である。
【図４】第１実施形態の上部固定部材側の要部断面図である。
【図５】第２実施形態のカートリッジの正面図である。
【図６】図５のＡ−Ａ線断面図である。
【図７】第３実施形態のカートリッジの正面図である。
【図８】図７のＢ−Ｂ線断面図である。
【図９】実施例と比較例の試験結果を示すグラフである。
【図１０】従来例を示す図面である。
【図１１】他の従来例を示す図面である。
【図１２】別の他の従来例を示す図面である。
【図１３】（Ａ）はさらに別の従来例を示す図面、（Ｂ）は（Ａ）の要部拡大図面である。
【符号の説明】
【００５７】
１  カートリッジ
２  被処理液
３  浸漬槽
１０  中空糸
１１  上部部材
１２  下部部材
１３  集水ヘッダー
２０  貫通孔
２１  気体導入キャップ
２２  気体導入管
２４  多孔パイプ
【図１】
2006116495.tif 000003
【図２】
2006116495.tif 000004
【図３】
2006116495.tif 000005
【図４】
2006116495.tif 000006
【図５】
2006116495.tif 000007
【図６】
2006116495.tif 000008
【図７】
2006116495.tif 000009
【図８】
2006116495.tif 000010
【図９】
2006116495.tif 000011
【図１０】
2006116495.tif 000012
【図１１】
2006116495.tif 000013
【図１２】
2006116495.tif 000014
【図１３】
2006116495.tif 000015